(57)【要約】      （修正有）【課題】収容した物品を容易に出し入れできると共に、より意匠性の高い包装部材を提供する。【解決手段】吊り下げ可能な物品を収納するための包装部材１において、光が透過できる透光部３と、透光部３の上方に設けられる収納部６と、を有し、収納部６は、吊り下げ可能な物品を吊り下げるための吊り下げ部を有すると共に、物品の一部を収納可能な空間が設けられている。【選択図】図１
0003156888.tif 000002
【実用新案登録請求の範囲】
【請求項１】
吊り下げ可能な物品を収納するための包装部材において、
光が透過できる透光部と、
上記透光部の上方に設けられる収納部と、を有し、
上記収納部は、上記吊り下げ可能な物品を吊り下げるための吊り下げ部を有すると共に、物品の一部を収納可能な空間が設けられていることを特徴とする包装部材。
【請求項２】
請求項１に記載の包装部材において、
前記収納部は、開閉可能に構成されていることを特徴とする包装部材。
【請求項３】
請求項１または請求項２に記載の包装部材において、
前記透光部を支持する支持部は、断面が商品側に向かって凸形状であることを特徴とする包装部材。
【請求項４】
請求項１から請求項３のいずれか１項に記載の包装部材において、
折筋が形成された１枚の台紙を組み立てたものであることを特徴とする包装部材。
【請求項５】
請求項１から請求項５のいずれか１項に記載の包装部材において、
前記透光部に対応する部分を透光性部材から構成するスリーブを有し、
上記スリーブは、包装部材の少なくとも一部を覆うことを特徴とする包装部材。
【考案の詳細な説明】
【技術分野】
【０００１】
本考案は、包装部材に関する。
【背景技術】
【０００２】
従来より、商品等の物品を包装するための包装部材がある。包装部材としては、たとえば、箱形状のものがあり、収容された物品が、包装部材の外部から視認可能に構成されたものがある（たとえば、特許文献１を参照。）。特許文献１に記載の包装用部材では、中に収納する物品それ自体が自立不可能な場合であっても、包装部材が自立可能であるため、物品を立たせて展示できるものとなる。
【先行技術文献】
【特許文献】
【０００３】
【特許文献１】特開平１０−１８１７３６（要約書、特許請求の範囲等）
【考案の概要】
【考案が解決しようとする課題】
【０００４】
ここで、物品を展示する場では、その物品を実際に包装部材から取り出して見たいという要望がある。そこで、物品を包装部材から容易に取り出すことができる、あるいは、取り出した物品を再度その包装部材に美しく配置できる包装部材が求められている。さらに、包装部材には、収容した物品をより美しく見せることができるような意匠性が求められる。
【０００５】
そこで、本考案は、収容した物品を容易に出し入れできると共に、より意匠性の高い包装部材を提供することを目的とする。
【課題を解決するための手段】
【０００６】
上記目的を達成するために、本考案の包装部材の一側面は、吊り下げ可能な物品を収納するための包装部材において、光が透過できる透光部と、透光部の上方に設けられる収納部と、を有し、収納部は、吊り下げ可能な物品を吊り下げるための吊り下げ部を有すると共に、商品の一部を収納可能な空間が設けられているものとしている。
【０００７】
さらに、収納部は、開閉可能に構成されているのが好ましい場合もある。
【０００８】
さらに、透光部を支持する支持部は、断面が商品側に向かって凸状であるのが好ましい場合もある。
【０００９】
さらに、包装部材は、折筋が形成された１枚の平面シートから形成されるのが好ましい場合もある。
【考案の効果】
【００１０】
本考案によれば、収容した物品を容易に出し入れできると共に、より意匠性の高い包装部材を提供できる。
【図面の簡単な説明】
【００１１】
【図１】本考案の第１の実施の形態に係る包装部材にペンダントを収容した状態の斜視図である。
【図２】図１の包装部材をＹ方向に見た場合の平面図である。
【図３】図１の包装部材にペンダントを収納した状態で、収納部を開いた状態を示す斜視図である。
【図４】図１の包装部材を、図１のＡ−Ａ線を含むＸＹ平面に水平な面で切断し矢印方向に見た場合の断面図である。
【図５】本考案の第２の実施の形態に係る包装部材の展開図である。
【図６】図５の包装部材を組み立てる途中の状態を示す斜視図である。
【図７】図６の包装部材を組み立てる工程を示す斜視図である。
【考案を実施するための形態】
【００１２】
（第１の実施の形態）
次に、本考案の実施の形態に係る包装部材について、図面を参照しながら説明する。図１は、本考案の第１の実施の形態に係る包装部材１の斜視図である。また、図２は、包装部材１をＹ方向に見た場合の平面図である。図３は、収容する物品の一例としてのペンダント２を収容する包装部材１において、収納部６が開かれた状態を示す斜視図である。図４は、図１のＡ−Ａ線を含むＸＹ平面に水平な面で切断し、矢印方向に見た場合の断面図である。なお、本明細書および図１〜４および図７において、包装部材１は、ＸＹ平面と平行な面の上に立脚できるものとし、そのＸＹ平面に垂直なＺ方向に向かって立脚する。なお、以後、包装部材１が立脚するＸＹ平面と平行な面を「床面」という。さらに、図１の紙面手前側を「前面」、奥手側を「背面」という。
【００１３】
包装部材１は、略直方体状の箱のうち、Ｚ方向略中央部分に透光部３を有する。透光部３は、包装部材１をＹ方向に貫通する孔である。透光部３は、Ｘ方向両端に配置される支持部４により、固定部５と収納部６との間に設けられている。
【００１４】
透光部３は、包装部材１をＹ方向に貫通するため、Ｙ方向に光が通る部分である。また、透光部３は、ペンダント２のペンダントヘッド２ａを収納することができるような空間を有する。特に、ペンダントヘッド２ａが、透光性あるいは偏光性等を有する場合には、透光部３にペンダントヘッド２ａが配置されることにより、ペンダントヘッド２ａに光を当てた状態をユーザが簡単に確認できるものとなる。あるいは、ペンダントヘッド２ａに表面と裏面がある場合に、包装部材１からペンダント２を取り出すことなく、ペンダント２の表面と裏面を透光部３により確認できるものとなる。
【００１５】
支持部４は、固定部５と収納部６とを接続すると共に、透光部３を保持する部分である。支持部４は、包装部材１のうち、透光部３のＸ方向両端に配置されている。なお、支持部４は、Ｘ方向両端の全面に配置されているが、このような形態に限らない。たとえば、支持部４は、Ｘ方向両端の一部に配置されていてもよいし、Ｙ方向両端に一部も受けられていても良い。また、支持部４は、平面形状であってもよいし、棒状等であってもよい。しかし、図１〜４にて示すように、支持部４の透光部３側の面が、透光部３に向かって凸形状であることが望ましい。なぜなら、支持部４が凸形状であることで、支持部４の強度が向上するからである。さらに、支持部４が透光部３に向かって凸形状であることで、透光部３の中心に向かって、集光効果が得られるため、透光部３に配置されたペンダントヘッド２ａがより美しく見えるものとなる。
【００１６】
固定部５は、包装部材１を自立可能にする部分であり、床面側が平滑な部分である。図１において固定部５の上側の面は、上方向に向かって凸形状である。これにより、透光部３の中心に向かって、集光効果が得られるため、透光部３に配置されたペンダントヘッド２ａがより美しく見えるものとなる。
【００１７】
収納部６は、ペンダント２のストラップ部２ｂを収納できると共に、ペンダント２を吊り下げ可能にする部分である。収納部６にてペンダント２を吊り下げ可能にする手段はどのようなものであってもよいが、たとえば、収納部６の床面側に、孔あるいは溝を形成する、あるいは、フック等を取り付けることにより、ストラップ部２ｂを介してペンダントヘッド２ａを吊り下げ可能とできる。
【００１８】
本実施の形態において、包装部材１の収納部６は、図３に示すように、収納部６のＸ方向の１面が開閉可能に構成されている。ユーザは、収納部６の開閉可能な面を開くことで、ペンダント２を吊り下げているストラップ部２ｂを取り出すことができる。すなわち、ユーザは、ペンダント２を取り出すことができる。
【００１９】
上述のような包装部材１とすることにより、自立できないペンダント２等の装飾品を立脚して展示可能となる。さらに、ユーザは、ペンダント２等の収容した物品を、包装部材１から容易に出し入れできる。なぜなら、収納部６を開くだけで、ペンダント２を取り出し可能であるからである。
【００２０】
また、包装部材１は、ペンダント２を美しく展示できる。なぜなら、包装部材１が有する透光部３を透過した光が、ペンダント２にあたるからである。さらに、包装部材１の収納部６は、ペンダント２のストラップ部分等を収納できるため、ストラップ部分等が雑然と露出することを防ぐものとなる。また、ユーザは、ペンダント２を２方向から視認可能となる。すなわち、意匠性の高い包装部材１を提供できる。
【００２１】
（第２の実施の形態）
次に、本考案の第２の実施の形態に係る包装部材１０について、図面を参照しながら説明する。
【００２２】
第２の実施の形態に係る包装部材１０は、第１の実施の形態に係る包装部材１とは、完成した外観において共通している。しかし、包装部材１０は、折筋の形成された１枚の平面紙から形成されている点で異なる。以後の説明において、第１の実施の形態にて用いる要素と同じものには、同じ番号を用いて説明する。
【００２３】
まず、図５に基づき、包装部材１０の展開図について説明する。図５は、第２の実施の形態に係る包装部材１０の展開図である。また、折筋としての谷折線（折り目の線が内側に隠れてしまうように折る線）を点線で示す。
【００２４】
図５では、包装部材１０を組み立てた後、外側に露出する面を紙面の奥側に配置するように、展開した包装部材１０を置いた状態を示している。包装部材１０は、図５の左側から大きく分けて、固定部領域３０、支持部領域４０ａ、収納部領域５０、および支持部領域４０ｂの順で配置されている。
【００２５】
固定部領域３０は、図５における上側から、後側上面３１ａ、後面３２ａ、床面３３、前面３２ｂ、前側上面３１ｂ、および折込部３４がこの順で辺を共有するように接続され、床面３３の左側には、挿入部３５が接続されて、辺を共有している。共有されている辺はすべて、谷折りする辺である。
【００２６】
支持部領域４０ａは、図５における上側から、外側面４１ａ、内側面４２ａ、折り返し面４３ａ、および挿入面４４ａが接続されている。また、外側面４１ａは、床面３３の図５における右側の辺を共有し、後述の天井面の左側に配置されている。同様に、支持部領域４０ｂは、図５における上側から、外側面４１ｂ、内側面４２ｂ、折り返し面４３ｂ、および挿入面４４ｂが接続されている。外側面４１ｂは、後述の天井面の右側に接続されている。すなわち、支持部領域４０ａと支持部領域４０ｂとは、天井面を介して接続されている。なお、共有されている辺はすべて、谷折する辺である。
【００２７】
外側面４１ａ，４１ｂのそれぞれには、図５の左右方向に延びると共に、台紙を貫通する溝４５ａ，４５ｂが形成されている。溝４５ａ，４５ｂは、挿入面４４ａ，４４ｂを挿入する溝である。したがって、図５における左右方向の幅の長さを比較すると、挿入面４４ａ，４４ｂの幅は、溝４５ａ，４５ｂの幅と同等あるいはそれよりもわずかに小さい。
【００２８】
また、内側面４２ａ，４２ｂのそれぞれには、図５の左右方向に延びる、谷折線４６ａ，４６ｂが形成されている。さらに、内側面４２ａ，４２ｂには、図５の上下方向に延びる、固定部領域差込溝４７ａ，４７ｂおよび収納部領域差込溝４８ａ，４８ｂがそれぞれ形成されている。
【００２９】
収納部領域差込溝４８ａ，４８ｂは、固定部領域差込溝４７ａ，４７ｂよりも、内側面４２ａ，４２ｂの収納部領域４０側に配置されている。また、収納部領域差込溝４８ａ，４８ｂは、図５の上下方向に向かって直線状に設けられているのに対し、固定部領域差込溝４７ａ，４７ｂは、谷折線４６ａ，４６ｂを頂点とする凸形状に設けられている。また、固定部領域差込溝４７ａ，４７ｂは、収納部領域４０に向かって凸形状として形成されている。さらに、固定部領域差込溝４７ａ，４７ｂおよび収納部領域差込溝４８ａ，４８ｂの溝端部側は、溝幅が大きく形成されている。
【００３０】
収納部領域５０は、図５における上側から、折込部５１、後側天井面５２ａ、後面５３ａ、天井面５４、前面５３ｂ、および前側天井面５２ｂがこの順で辺を共有するように接続されている。また、図５において、天井面５４の左側の辺と、外側面４１ａの右側の辺とが共有されており、天井面５４の右側の辺と、外側面４１ｂの左側の辺とが共有されている。共有されている辺はすべて、谷折りするための辺である。
【００３１】
また、後側天井面５２ａおよび前側天井面５２ｂには、吊り下げ溝５４ａおよび吊り下げ溝５４ｂがそれぞれ形成されている。具体的には、図５において、吊り下げ溝５４ａは、上下方向に伸びており、折込部５１の上端側から後側天井面５２ａの略中心よりもわずか先まで到達している。一方、吊り下げ溝５４ｂは、図５における上下方向に伸びており、前側天井面５２ｂの下端側から、その略中心よりもわずか先まで到達している。
【００３２】
次に、包装部材１０の組み立て方について説明する。図６は、挿入面４４ａが溝４５ａに、挿入面４４ｂが溝４５ｂに、それぞれ挿入された状態を示す平面図である。
【００３３】
まず、支持部領域４０ａ，４０ｂの各折線を谷折りすると共に、挿入面４４ａを溝４５ａに、挿入面４４ｂを溝４５ｂに、それぞれ挿入する。具体的には、挿入面４４ａ，４４ｂを、図５における奥側から、溝４４ａ，４４ｂの手前側へ挿入する。このように挿入面４４ａを溝４５ａに、挿入面４４ｂを溝４５ｂに、それぞれ挿入することで、支持部領域４０ａ，４０ｂが図６に示すような筒状となる。また、支持部領域４０ａ，４０ｂは、図６の紙面手前方向に谷折線４６ａ，４６ｂを頂点に突出するような形状となる。
【００３４】
図７は、挿入部３５を、外側面４１ｂと内側面４２ｂとの間に挿入された状態を示す斜視図である。
【００３５】
次に、固定部領域３０の各谷折線を折り曲げる。そして、挿入部３５を、支持部領域２０ｂの開放されている側の端部であって、外側面４１ｂと内側面４２ｂとの間に挿入することで、図７に示す状態となる。
【００３６】
さらに、後側上面３１ａを、固定部領域差込溝４７ａ，４７ｂに差し込む。具体的には、差込方向に対して後側上面３１ａの左右両端を、固定部領域差込溝４７ａ，４７ｂに挿入し、後側上面３１ａを固定部領域差込溝４７ａ，４７ｂに沿って差込む。同様に、折込部３４を折り込んだ状態で、前側上面３１ｂを固定部領域差込溝４７ａ，４７ｂに差し込む。具体的には、差込方向に対して、前側上面３１ｂおよび折込部３４の左右両端を、固定部領域差込溝４７ａ，４７ｂに挿入する。そして、後側上面３１ａと前側上面３１ｂとが、谷折線４６ａ部分で会合する。
【００３７】
次に、折込部５１を折り込んだ後側天井面５２ａを、収納部領域差込溝４８ａ，４８ｂに差し込む。具体的には、差込方向に対して後側天井面５２ａおよび折込部５１の左右両端を、収納部領域差込溝４８ａ，４８ｂに挿入し、収納部領域差込溝４８ａ，４８ｂに沿って差込む。
【００３８】
最後に、前側天井面５２ｂを、収納部領域差込溝４８ａ，４８ｂに差し込む。具体的には、差込方向に対して後側天井面５２ａの左右両端を、収納部領域差込溝４８ａ，４８ｂに挿入し、収納部領域差込溝４８ａ，４８ｂに沿って差込む。
【００３９】
上述のような包装部材１０とすることにより、自立できないペンダント２等の装飾品を立脚して展示可能となる。さらに、ユーザは、ペンダント２等の包装部材１０に収容した物品を、包装部材１から容易に出し入れできる。また、包装部材１は、ペンダント２を美しく展示できる。
【００４０】
また、上述のような包装部材１０は、非常に安価なものとなる。なぜなら、包装部材１０が、一枚の平面板から形成されているからである。また、上述の包装部材１０は、糊付が不要であるため、包装部材１０を組み立てる際の工程も少なく、かつ、費用を抑えることが可能となる。
【００４１】
さらに、ユーザが、使用済みの包装部材１０を廃棄する際に、糊付部分を剥がす手間が必要ないものとなる。さらに、包装部材１０を保存する際には、平面状にできるので保存スペースが小さいものとなる。
【００４２】
以上、各考案の実施の形態に係る包装部材１，１０の好適な例について説明したが、本考案は、上述の実施の形態に何ら限定されることなく、種々変形した形態にて実施可能である。
【００４３】
たとえば、各実施の形態では、包装部材１，１０に、ペンダントヘッド２ａと、ペンダントヘッド２ａに取り付けられたストラップ部２ｂとを有するペンダント２を収納するものとしたが、このような形態に限られない。たとえば、包装部材１，１０は、イヤリング、ストラップ、キーホルダーあるいはピアス等の他の装飾品を包装してもよいし、装飾品以外の物品を包装するものであってもよい。その中でも、包装部材１，１０は、吊り下げられた部材を展示あるいは包装する際に特に大きな効果を有する。特に、吊り下げられた部材が、透光性あるいは偏光性である場合、あるいは、多面性を有する場合には、より前述の効果が高いものとなる。
【００４４】
また、第２の実施の形態では、１枚の平面台紙から包装部材１０を形成するものとしたが、２枚以上の台紙から包装部材１０を形成してもよい。また、平面台紙ではないもので作製しても良いし、紙以外の部材で包装部材１０を形成することを妨げるものではない。紙以外の部材としては、たとえば、樹脂製、金属製、あるいは多層体から形成されていてもよい。しかし、平面台紙から包装部材１０を形成する場合には、紙のリサイクルが容易であるため、糊付けが不要な包装部材１０は、より好ましいものである。さらに、第２の実施の形態では、包装部材１０を組み立てる際の折り線は、すべて谷折線としたが、山折線（折り目の線が外側に露出するように折る線）を含むものとしてもよい。しかし、すべて谷折線あるいは山折線とすることで、どの線を谷折線として、どの線を山折線とするべきか考えたり覚えたりする必要がないため、組み立てやすいものとなる。
【００４５】
また、包装部材１，１０は、別の部材で覆われるものとしてもよい。たとえば、包装部材１，１０のＸ方向の長さおよびＹ方向の長さと内周が等しい角筒形の部材で、包装部材１，１０のＸ方向外側およびＹ方向外側を覆うようにしてもよい。その場合に、少なくとも透光部３部分を、透光性の部材で構成することで、商品を視認できるものとなる。また、包装部材１，１０を別の部材で覆うことにより、包装部材１，１０の外側に露出する凹凸（たとえば、折り返し面４３ａ，４３ｂの部分）をより目立たなくさせることができるため好ましい。
【００４６】
また、図５において、谷折線４６ａ，４６ｂは、内側面４２ａ，４２ｂの上下方向中央よりも、下寄りの位置に設けられているがこのような形態に限らない。たとえば、谷折線４６ａ，４６ｂは、内側面４２ａ，４２ｂの上下方向中央に設けてもよい。しかし、谷折線４６ａ，４６ｂは、内側面４２ａ，４２ｂの上下方向中央よりも図５の下寄りの位置に設けることで、固定部５の上側の面の凸形状の頂点を、図１のＹ方向に適宜移動させることができる。なお、固定部５の上側の面の凸形状の頂点がより奥側にくる方を、包装部材１，１０の前面として展示するのが好ましい。なぜなら、凸形状の頂点がより奥側にくることで、まず、集光効果が向上する。さらに、視覚的に奥行きが感じられることから、ペンダントヘッド２ａがより美しく見えるものとなる。これにより、小さいパッケージであっても、視覚的にゆとりがあるように見せることができる。
【００４７】
なお、第２の実施の形態において、後側上面３１ａと前側上面３１ｂの挿入方向に対して固定部領域差込溝４７ａ，４７ｂの手前側の溝幅が、奥側の溝幅よりも大きいものとされているが、このような形態に限らない。固定部領域差込溝４７ａ，４７ｂは、どの部分も同様の幅で設けられていてもよい。しかし、折込部３４の挿入方向に対して、固定部領域差込溝４７ａ，４７ｂの手前側の溝幅が、奥側の溝幅よりも大きいものである場合には、差し込まれた後側上面３１ａおよび前側上面３１ｂが抜けにくいものとなる。同様に、後側天井面５２ａおよび前側天井面５２ｂの挿入方向に対して、収納部領域差込溝４８ａ，４８ｂの手前側の溝の幅が、奥側の溝幅よりも大きい場合には、差し込まれた後側天井面５２ａおよび前側天井面５２ｂが抜けにくいものとなる。
【００４８】
また、第２の実施の形態において、折込部３４および折込部５１は、必須ではない。しかし、折込部３４および折込部５１を設けることにより、後側上面３１ａおよび前側天井面５２ｂの差込方向端部が、外部から見えにくいため、外見のよい包装部材１０となる。また、折込部３４および折込部５１が設けられ、かつ、固定部領域差込溝４７ａ，４７ｂが、折込部３４の挿入方向に対して手前側の溝の幅が、奥側の溝の幅よりも小さい場合には、差し込まれた折込部３４が抜けにくいものとなる、いわゆる「ハメ殺し」構造とすることができる。同様に、収納部６の収納部領域差込溝４８ａ，４８ｂが折込部５１の挿入方向に対して手前側の溝の幅が、奥側の溝の幅よりも小さく、かつ、折込部５１が設けられている場合には、差し込まれた天井面５２ａが、抜けにくいものとなる。差し込まれた部分が抜けにくい構造とすることで、糊付けをしなくても、形状を維持しやすい包装部材１０となる。
【００４９】
また、各実施の形態においては、包装部材１，１０は、物品としてのペンダント２を包装するものとしているが、包装の目的以外に用いられてもよい。たとえば、物品を陳列するため、物品の保護のため、あるいは、装飾のために包装部材１，１０を用いるような形態であってもかまわない。
【００５０】
また、各実施の形態においては、固定部５は、包装部材１を自立可能にするための部分としたが、このような形態に限らない。たとえば、固定部５も開閉可能とすることで、第２の収納用の領域としてもよい。固定部５を第２の収納用の部分とすることで、たとえば、包装する物品の付属品や替えのチェーン等を収納することができる。あるいは、固定部５は、箱型である必要はなく、その他の形状であってもよいし、固定部５の収納部分に、包装部材１がより自立しやすいように、重量物を入れてもよい。
【符号の説明】
【００５１】
１，１０・・・包装部材、２・・・ペンダント（物品）、３・・・透光部、４・・・支持部、５４ａ，５４ｂ・・・吊り下げ溝（吊り下げ部）
【図１】
0003156888.tif 000003
【図２】
0003156888.tif 000004
【図３】
0003156888.tif 000005
【図４】
0003156888.tif 000006
【図５】
0003156888.tif 000007
【図６】
0003156888.tif 000008
【図７】
0003156888.tif 000009